(57)【要約】【課題】既設のメディアコンバータ方式からＰＯＮ方式への切替を効率的にかつ開通不良を起こすことなく行うことができる光アクセス方式切替方法および光伝送システムを提供する。【解決手段】本発明の光アクセス方式切替方法においては、ＰＯＮ親機４１に接続されたコネクタ付光カプラ４２を光通信事業者局に設置しておき、加入者側メディアコンバータをＰＯＮ子機に取り替える際に、局側メディアコンバータ１１と加入者側メディアコンバータとを１対１で接続する既設メディコン心線の光通信事業者局側の端部を局側メディアコンバータ１１から取り外してコネクタ付光カプラ４２に接続する。【選択図】図１
2007096885.tif 000002
【特許請求の範囲】
【請求項１】
光通信事業者局に設置された局側メディアコンバータ（１１）と加入者宅に設置された加入者側メディアコンバータとを１対１で接続する既設のメディアコンバータ方式から、前記光通信事業者局に設置されたＰＯＮ親機（４１）と前記加入者宅に設置されたＰＯＮ子機とを１対多で接続するＰＯＮ方式へ、既設メディコン心線を用いて切り替えるのに使用される光アクセス方式切替方法であって、
前記ＰＯＮ親機に接続されたコネクタ付光カプラ（４２）を前記光通信事業者局に設置しておき、
前記加入者側メディアコンバータを前記ＰＯＮ子機に取り替える際に、前記局側メディアコンバータと該加入者側メディアコンバータとを１対１で接続する既設メディコン心線の前記光通信事業者局側の端部を前記局側メディアコンバータから取り外して前記コネクタ付光カプラに接続する、
ことを特徴とする、光アクセス方式切替方法。
【請求項２】
光カプラ（４３）を前記光通信事業者局に設置して前記ＰＯＮ親機に接続し、
分岐カプラ（５１）をクロージャ（３１〜３６）の付近に設置し、
前記コネクタ付光カプラに所定の本数の既設メディコン心線が接続されると、未使用の既設メディコン心線を用いて前記光カプラと前記分岐カプラとを接続するとともに、前記所定の本数の既設メディコン心線を該分岐カプラに接続する、
ことを特徴とする、請求項１記載の光アクセス方式切替方法。
【請求項３】
光通信事業者局に設置されたＰＯＮ親機（４１）と、
該ＰＯＮ親機に接続されたコネクタ付光カプラ（４２）と、
加入者宅に設置されたＰＯＮ子機と、
を具備し、
前記コネクタ付光カプラと前記ＰＯＮ子機とが、既設メディコン心線を用いて１対１で接続されている、
ことを特徴とする、光伝送システム。
【請求項４】
前記光通信事業者局に設置された局側メディアコンバータ（１１）と、
他の加入者宅に設置された、かつ、前記局側メディアコンバータと他の既設メディコン心線を用いて１対１で接続された加入者側メディアコンバータと、
をさらに具備することを特徴とする、請求項３記載の光伝送システム。
【発明の詳細な説明】
【技術分野】
【０００１】
本発明は、光アクセス方式切替方法および光伝送システムに関し、特に、既設のメディアコンバータ方式をＰＯＮ方式に切り替えるのに好適な光アクセス方式切替方法および光伝送システムに関する。
【背景技術】
【０００２】
従来、光通信事業者局（ＢＯＸ局）と加入者宅とを結ぶ伝送媒体として光ファイバを使用する光アクセス方式としては、メディアコンバータ（光信号／電気信号変換装置）を用いたメディアコンバータ方式が広く使用されている。メディアコンバータ方式は、図６に示すように、光通信事業者局に設置された局側メディアコンバータ１１１と加入者宅に設置された加入者側メディアコンバータ（不図示）とを、第１乃至第３の幹線系クロージャ１２１〜１２３と第１乃至第６のドロップ用クロージャ１３１〜１３６のうちの１個とを介して、１本または２本の光ファイバ心線（以下では、１本の光ファイバ心線とし、また、「既設メディコン心線」と称する。）を用いて１対１で接続するものである（図中、×印は局側メディアコンバータ１１１と加入者側メディアコンバータとが接続されていることを示す。）。したがって、このようなメディアコンバータ方式においては、加入者の増大に伴って光ファイバ心線の数も増大する。
【０００３】
そこで、加入者が増大してくると、光ファイバの有効活用を図るために、光カプラを用いて１本の光ファイバ心線を複数本の光ファイバ心線に分岐することにより、光通信事業者局に設置されたＰＯＮ親機と加入者宅に設置されたＰＯＮ子機とを１対多で接続するＰＯＮ（Passive Optical Network）方式に切り替えることが行われる。
【０００４】
従来、このようなメディアコンバータ方式からＰＯＮ方式への切替（以下、「光アクセス方式切替」と称する。）は、たとえば以下のようにして行われている。
図７に示すように、ＰＯＮ親機１４１と光カプラ１４２とを光通信事業者局に設置し、第１のドロップ用クロージャ１３１の付近に設置した１６分岐カプラ１５１に未使用の１６本の既設メディコン心線を接続（図７では、１０本の既設メディコン心線のみを接続）して、図７に破線で示す未使用の既設メディコン心線を用いて光カプラ１４２と１６分岐カプラ１５１とを接続することにより、事前に、ＰＯＮ方式を構築しておく。その後、加入者側メディアコンバータをＰＯＮ子機に取り替えるとともに、図７の矢印に示すように、ＰＯＮ子機を、取替え前の加入者側メディアコンバータに接続されていた既設メディコン心線ではなくて、１６分岐カプラ１５１に接続された１６本の未使用の既設メディコン心線のうちの１本（図７の一点鎖線参照）に接続する作業（心線切替作業）を実施する。
【０００５】
なお、下記の特許文献１には、ユーザ数の増加に対応して光ファイバを効率的かつ経済的に増設することができるように、伝送装置に光接続された装置側光ファイバを、カプラ収納部に収納された局側光カプラを介して複数本の外線側光ファイバに分岐し、これら外線側光ファイバのそれぞれを、光接続箱に収納された分配用光カプラまで布線して、この分配用光カプラによって複数本の分配用光ファイバに分岐し、これら分配用光ファイバのそれぞれを端末まで布線した光伝送システムにおいて、カプラ収納部に、分岐数の異なる複数種類の局側光カプラを収納し、局側光カプラを介して一の伝送装置に光接続される分配用光カプラの個数および分岐数を、各局側光カプラの分岐数に応じて、異なる数とする光配線方法が開示されている。
【特許文献１】特開２００５−１７５１９号公報
【発明の開示】
【発明が解決しようとする課題】
【０００６】
しかしながら、上述した従来の光アクセス方式切替方法においては、加入者側メディアコンバータからＰＯＮ子機への取替工事は加入者の都合のよい日に実施されるため、心線切替作業を同一日にまとめて行うことはできず、心線切替作業に伴う道路使用手続および地元対策を何度も行う必要があったり、心線切替作業に要する諸費用も高くなったりするという問題があった。
また、心線切替前に使用されていた既設メディコン心線は切断されたままになるため、その心線を後日使用する際、切断状況を誤認識するなど開通不良の原因になる恐れがあるという問題があった。
【０００７】
本発明の目的は、既設のメディアコンバータ方式からＰＯＮ方式への切替を効率的にかつ開通不良を起こすことなく行うことができる光アクセス方式切替方法および光伝送システムを提供することにある。
【課題を解決するための手段】
【０００８】
本発明の光アクセス方式切替方法は、光通信事業者局に設置された局側メディアコンバータ（１１）と加入者宅に設置された加入者側メディアコンバータとを１対１で接続する既設のメディアコンバータ方式から、前記光通信事業者局に設置されたＰＯＮ親機（４１）と前記加入者宅に設置されたＰＯＮ子機とを１対多で接続するＰＯＮ方式へ、既設メディコン心線を用いて切り替えるのに使用される光アクセス方式切替方法であって、前記ＰＯＮ親機に接続されたコネクタ付光カプラ（４２）を前記光通信事業者局に設置しておき、前記加入者側メディアコンバータを前記ＰＯＮ子機に取り替える際に、前記局側メディアコンバータと該加入者側メディアコンバータとを１対１で接続する既設メディコン心線の前記光通信事業者局側の端部を前記局側メディアコンバータから取り外して前記コネクタ付光カプラに接続することを特徴とする。
ここで、光カプラ（４３）を前記光通信事業者局に設置して前記ＰＯＮ親機に接続し、分岐カプラ（５１）をクロージャ（３１〜３６）の付近に設置し、前記コネクタ付光カプラに所定の本数の既設メディコン心線が接続されると、未使用の既設メディコン心線を用いて前記光カプラと前記分岐カプラとを接続するとともに、前記所定の本数の既設メディコン心線を該分岐カプラに接続してもよい。
【０００９】
本発明の光伝送システムは、光通信事業者局に設置されたＰＯＮ親機（４１）と、該ＰＯＮ親機に接続されたコネクタ付光カプラ（４２）と、加入者宅に設置されたＰＯＮ子機とを具備し、前記コネクタ付光カプラと前記ＰＯＮ子機とが、既設メディコン心線を用いて１対１で接続されていることを特徴とする。
ここで、前記光通信事業者局に設置された局側メディアコンバータ（１１）と、他の加入者宅に設置された、かつ、前記局側メディアコンバータと他の既設メディコン心線を用いて１対１で接続された加入者側メディアコンバータとをさらに具備してもよい。
【発明の効果】
【００１０】
本発明の光アクセス方式切替方法および光伝送システムは、以下に示す効果を奏する。
（１）加入者側メディアコンバータをＰＯＮ子機に取り替える際に、局側メディアコンバータと加入者側メディアコンバータとを１対１で接続する既設メディコン心線の光通信事業者局側の端部をコネクタ付光カプラに接続することにより、各加入者が都合のよい日に加入者側メディアコンバートをＰＯＮ子機に取り替えると同時にＰＯＮ方式に切り替えることができるので、既設のメディアコンバータ方式からＰＯＮ方式への切替を効率的に行うことができる。
（２）コネクタ付光カプラに所定の本数の既設メディコン心線が接続されると、未使用の既設メディコン心線を用いて光カプラと分岐カプラとを接続するとともに、所定の本数の既設メディコン心線を分岐カプラに接続することにより、ＰＯＮ方式への切替時に心線切替作業を行う必要がないので、従来の光アクセス方式切替方法における開通不良の問題を解決することができる。
【発明を実施するための最良の形態】
【００１１】
既設のメディアコンバータ方式からＰＯＮ方式への切替を効率的にかつ開通不良を起こすことなく行うという目的を、ＰＯＮ親機に接続されたコネクタ付光カプラを光通信事業者局に設置しておき、加入者側メディアコンバータをＰＯＮ子機に取り替える際に、局側メディアコンバータと加入者側メディアコンバータとを１対１で接続する既設メディコン心線の光通信事業者局側の端部をコネクタ付光カプラに接続することにより実現した。
【実施例１】
【００１２】
以下、本発明の光アクセス方式切替方法および光伝送システムの実施例について、図面を参照して説明する。
まず、本発明の一実施例による光アクセス方式切替方法における作業手順について、光通信事業者局（ＢＯＸ局）に設置された局側メディアコンバータ１１と第１乃至第１０の加入者側メディコンバータ（不図示）とが第１乃至第３の幹線系クロージャ２１〜２３と第１乃至第６のドロップ用クロージャ３１〜３６のうちの１個とを介して第１１乃至第２０の既設メディコン心線を用いて接続された既設のメディアコンバータ方式からＰＯＮ方式へ切り替える場合を例として、図１乃至図５を参照して説明する。
【００１３】
なお、第１乃至第１０の既設メディコン心線は未使用状態であり、また、図１の×印で示すように、第１１および第１８の既設メディコン心線はＡ幹線系ルートの第１のドロップ用クロージャ３１において分岐され、第１２および第１５の既設メディコン心線はＡ幹線系ルートの第２のドロップ用クロージャ３２において分岐され、第１４および第１９の既設メディコン心線はＡ幹線系ルートの第３のドロップ用クロージャ３３において分岐され、第１３、第１７および第２０の既設メディコン心線はＡ幹線系ルートの第４のドロップ用クロージャ３４において分岐され、第１６の既設メディコン心線はＡ幹線系ルートの第５のドロップ用クロージャ３５において分岐されているものとする。
【００１４】
既設のメディアコンバータ方式からＰＯＮ方式へ切り替える場合には、図１に示すように、ＰＯＮ親機４１とコネクタ付光カプラ４２とを光通信事業者局に新たに設置する。
【００１５】
その後、作業員は、加入者側メディアコンバータからＰＯＮ子機への取替工事の都合のよい日を各加入者に問い合せて、各加入者の都合のよい日に合わせてこの取替工事を実施する。
たとえば、作業員が、平成１７年６月１０日に、第１８の既設メディコン心線に接続された加入者側メディアコンバータをＰＯＮ子機に取り替える工事をこの加入者の都合に合わせて実施すると、図２に破線で示すように、第１８の既設メディコン心線の光通信事業者局側の端部（コネクタ接続されている。）を局側メディアコンバータ１１から取り外してコネクタ付光カプラ４２に取り付ける。
【００１６】
その後、作業員が、平成１７年６月２５日に、第１４の既設メディコン心線に接続された加入者側メディアコンバータをＰＯＮ子機に取り替える工事をこの加入者の都合に合わせて実施すると、図３に破線で示すように、第１４の既設メディコン心線の光通信事業者局側の端部（コネクタ接続されている。）を局側メディアコンバータ１１から取り外してコネクタ付光カプラ４２に取り付ける。
【００１７】
このようにして第１３乃至第２０の既設メディコン心線に接続された加入者側メディアコンバータをＰＯＮ子機に取り替える工事が実施されて、図４に示すように、第１３乃至第２０の既設メディコン心線の光通信事業者局側の端部（コネクタ接続されている。）を局側メディアコンバータ１１から取り外してコネクタ付光カプラ４２に取り付けると、図５に示すように、光カプラ４３を光通信事業者局に新たに設置するとともに、光カプラ４３をＰＯＮ親機４１に接続する。また、１６分岐カプラ５１を第１のドロップ用クロージャ３１の付近に設置する。
【００１８】
未使用の第９の既設メディコン心線を用いて、光カプラ４３と１６分岐カプラ５１とを接続する（図５の一点鎖線参照）。また、第１３乃至第２０の既設メディコン心線を１６分岐カプラ５１に接続する（図５の破線参照）。
【００１９】
これにより、第１３乃至第２０の既設メディコン心線に接続された加入者に対しては、各加入者が都合のよい日に加入者側メディアコンバートをＰＯＮ子機に取り替えると同時にＰＯＮ方式に切り替えることができるので、既設のメディアコンバータ方式からＰＯＮ方式への切替を効率的に行える。また、ＰＯＮ方式への切替時に心線切替作業を行う必要がないので、従来の光アクセス方式切替方法における開通不良の問題も解決することができる。
【００２０】
次に、本発明の光伝送システムの実施例について説明する。
本発明の一実施例による光伝送システムは、図４に示すように、光通信事業者局（ＢＯＸ局）に設置された局側メディアコンバータ１１と、光通信事業者局に設置されたＰＯＮ親機４１と、ＰＯＮ親機４１に接続されたコネクタ付光カプラ４２と、２つの加入者宅にそれぞれ設置された２個の加入者側メディアコンバータ（不図示）と、８つの加入者宅にそれぞれ設置された８個のＰＯＮ子機（不図示）とを具備する。
【００２１】
ここで、２個の加入者側メディアコンバータは、局側メディアコンバータ１１と第１１および第１２の既設メディコン心線を用いて１対１でそれぞれ接続されている。また、８個のＰＯＮ子機は、コネクタ付光カプラ４２と第１３乃至第２０の既設メディコン心線を用いて１対１でそれぞれ接続されている。
【００２２】
すなわち、本実施例による光伝送システムにおいては、光通信事業者局に設置されたコネクタ付光カプラ４２と各加入者宅に設置されたＰＯＮ子機とは、ドロップ用クロージャに設置される分岐カプラを介さずに既設メディコン心線を用いて１対１でそれぞれ接続されている。このようにすることにより、既設のメディアコンバータ方式からＰＯＮ方式への光アクセス方式の切替を効率的に行うことができるとともに、開通不良を防ぐことができる。
【産業上の利用可能性】
【００２３】
以上説明したように、本発明の光アクセス方式切替方法および光伝送システムは、たとえば、既設のメディアコンバータ方式をＰＯＮ方式に切り替えるのに利用することができる。
【図面の簡単な説明】
【００２４】
【図１】本発明の一実施例による光アクセス方式切替方法における手順を説明するための図である。（実施例１）
【図２】本発明の一実施例による光アクセス方式切替方法における手順を説明するための図である。（実施例１）
【図３】本発明の一実施例による光アクセス方式切替方法における手順を説明するための図である。（実施例１）
【図４】本発明の一実施例による光アクセス方式切替方法における手順を説明するための図である。（実施例１）
【図５】本発明の一実施例による光アクセス方式切替方法における手順を説明するための図である。（実施例１）
【図６】従来の光アクセス方式切替方法における手順を説明するための図である。
【図７】従来の光アクセス方式切替方法における手順を説明するための図である。
【符号の説明】
【００２５】
１１  局側メディアコンバータ
２１〜２３  幹線系クロージャ
３１〜３６  ドロップ用クロージャ
４１  ＰＯＮ親機
４２  コネクタ付光カプラ
４３  光カプラ
５１  １６分岐カプラ
【図１】
2007096885.tif 000003
【図２】
2007096885.tif 000004
【図３】
2007096885.tif 000005
【図４】
2007096885.tif 000006
【図５】
2007096885.tif 000007
【図６】
2007096885.tif 000008
【図７】
2007096885.tif 000009